(57)【要約】  電子デバイス内に格納されたデータを管理する方法は、筆記によるユーザ指示、及び可聴音によるユーザ指示のうちの少なくとも一方に応えて、前記電子デバイス上に表示されたデータのための所望のメモリ格納場所を決定するステップと、前記決定に応えて前記所望のメモリ格納場所へ前記データを転送するステップと、を備える。前記筆記によるユーザ指示は、前記電子デバイスのディスプレイ上に、英数文字及びシンボルのうちの少なくとも一方を少なくとも１つ示すことができ、また、前記可聴音によるユーザ指示は、話されたコマンド、及びボイスコマンドのうちの少なくとも一方を提供することができる。関連する電子デバイス及びコンピュータプログラム製品についても議論する。
2008536237.tif 000002
【特許請求の範囲】
【請求項１】
電子デバイス内に格納されたデータを管理する方法であって、
筆記によるユーザ指示、及び可聴音によるユーザ指示のうちの少なくとも一方に応えて、前記電子デバイス上に表示されたデータのための所望のメモリ格納場所を決定するステップと、
前記所望のメモリ格納場所へ前記データを転送するステップと、
を備えることを特徴とする方法。
【請求項２】
筆記によるユーザ指示、及び可聴音によるユーザ指示のうちの少なくとも一方に応えて、所望の格納場所を決定する前記ステップは、
前記電子デバイスのディスプレイ上に、英数文字及びシンボルのうちの少なくとも一方を少なくとも１つ示す、筆記によるユーザ指示と、話されたコマンドを提供する可聴音によるユーザ指示と、のうちの少なくとも一方の受信に応えて、前記所望の格納場所を決定するステップ
を備えることを特徴とする請求項１に記載の方法。
【請求項３】
英数文字及びシンボルのうちの少なくとも一方を少なくとも１つ示す、筆記によるユーザ指示の前記受信は、
スタイラスを使用して前記電子デバイスの前記ディスプレイ上に、英数文字及びシンボルのうちの少なくとも一方を少なくとも１つ書くことを含む、筆記によるユーザ入力の受信
を含むことを特徴とする請求項２に記載の方法。
【請求項４】
英数文字及びシンボルのうちの少なくとも一方を少なくとも１つ示す、筆記によるユーザ指示の前記受信は、
英数文字及びシンボルのうちの少なくとも一方を少なくとも１つを示すために、マウス、トラックボール、及びジョイスティックのうちの少なくとも１つを使用して、前記電子デバイス上に表示されるカーソルを移動させることを含む、筆記によるユーザ入力の受信
を含むことを特徴とする請求項２に記載の方法。
【請求項５】
所望のメモリ格納場所を決定する前記ステップは、
筆記による入力モードの動作、及び可聴音による入力モードの動作のうちの少なくとも一方における、前記筆記によるユーザ指示、及び前記可聴音によるユーザ指示のうちの少なくとも一方の受信に応えて、前記所望のメモリ格納場所を決定するステップ
を備えることを特徴とする請求項１に記載の方法。
【請求項６】
筆記による入力モードの動作、及び可聴音による入力モードの動作のうちの少なくとも一方における、前記筆記によるユーザ指示、及び前記可聴音によるユーザ指示のうちの少なくとも一方の前記受信は、
前記電子デバイス上のボタンを押下すること、前記電子デバイス上に表示されたアイコンを選択すること、及び前記電子デバイス上に表示される少なくとも１つのオンスクリーンメニューをナビゲートすること、のうちの少なくとも１つを含むユーザ入力に応えて、前記筆記による入力モードの動作、及び前記可聴音による入力モードの動作のうちの少なくとも一方を起動し、
前記筆記によるユーザ指示、及び前記可聴音によるユーザ指示のうちの少なくとも一方を受信する
ことを含むことを特徴とする請求項５に記載の方法。
【請求項７】
所望のメモリ格納場所を決定する前記ステップは、
前記データをグルーピングし、当該グルーピングにおいて英数文字及びシンボルのうちの少なくとも一方を少なくとも１つ書くことを含む、筆記によるユーザ指示に応えて、前記データのための前記所望の格納場所を決定するステップ
を備えることを特徴とする請求項１に記載の方法。
【請求項８】
前記データのグルーピングに応えて前記データのための前記所望の格納場所を決定するステップは、
前記データの周囲に多角形及び楕円形のうちの少なくとも一方を描画し、前記多角形及び楕円形のうちの少なくとも一方において、英数文字及びシンボルのうちの少なくとも一方を少なくとも１つ書くことを含む、筆記によるユーザ指示に応えて、前記データのための前記所望の格納場所を決定するステップ
を備えることを特徴とする請求項７に記載の方法。
【請求項９】
前記電子デバイスは、第１の電子デバイスを含み、前記所望のメモリ格納場所へ前記データを転送する前記ステップは、
第２の電子デバイス内の所望のメモリ格納場所へ前記データを転送するステップ
を備えることを特徴とする請求項１に記載の方法。
【請求項１０】
前記データを転送する前記ステップは、
無線周波数接続、赤外線接続、及び有線接続のうちの少なくとも１つを介して、前記第２の電子デバイスへ前記データを転送するステップを備え、
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含む
ことを特徴とする請求項９に記載の方法。
【請求項１１】
前記所望のメモリ格納場所へ前記データを転送する前記ステップは、
前記筆記によるユーザ指示、及び前記可聴音によるユーザ指示のうちの少なくとも一方に応えて所望のメモリ格納場所を決定不可能である場合に、新しいフォルダを生成するようにユーザに促すステップと、
ユーザ応答に応えて前記新しいフォルダを生成するステップと、
前記データを前記新しいフォルダへ転送するステップと、
を備えることを特徴とする請求項１に記載の方法。
【請求項１２】
メモリデバイスと、
ディスプレイと、
前記メモリデバイス及び前記ディスプレイに結合されたプロセッサと、
を備え、
前記プロセッサは、筆記によるユーザ指示、及び可聴音によるユーザ指示のうちの少なくとも一方に応えて、
前記ディスプレイ上に表示されたデータのための、前記メモリデバイス内の所望のメモリ格納場所を決定し、
前記所望のメモリ格納場所へ前記データを転送する
ように構成される
ことを特徴とする電子デバイス。
【請求項１３】
前記可聴音によるユーザ指示はボイスコマンドを含み、
前記プロセッサに結合され、前記ボイスコマンドを受信するように動作可能なマイクロフォンを更に備える
ことを特徴とする請求項１２に記載の電子デバイス。
【請求項１４】
前記筆記によるユーザ指示は、前記電子デバイスの前記ディスプレイ上に英数文字及びシンボルのうちの少なくとも一方を少なくとも１つ示すことを含み、
前記ディスプレイ上に英数文字及びシンボルのうちの少なくとも一方を少なくとも１つ示すように動作可能なポインティングデバイスを更に備える
ことを特徴とする請求項１２に記載の電子デバイス。
【請求項１５】
前記ポインティングデバイスは、前記ディスプレイと共に使用されるように構成されるスタイラスを含み、
前記筆記によるユーザ指示は、前記スタイラスを使用して前記電子デバイスの前記ディスプレイ上に英数文字及びシンボルのうちの少なくとも一方を少なくとも１つ書くことを含む
ことを特徴とする請求項１４に記載の電子デバイス。
【請求項１６】
前記ポインティングデバイスは、マウス、トラックボール、及びジョイスティックのうちの少なくとも１つを含み、
前記筆記によるユーザ指示は、英数文字及びシンボルのうちの少なくとも一方を少なくとも１つ示すために、前記マウス、前記トラックボール、及び前記ジョイスティックのうちの少なくとも１つを使用して、前記ディスプレイ上に表示されたカーソルを移動させることを含む
ことを特徴とする請求項１４に記載の電子デバイス。
【請求項１７】
前記プロセッサは、前記データをグルーピングし、当該グルーピングにおいて前記ポインティングデバイスを使用して英数文字及びシンボルのうちの少なくとも一方を少なくとも１つ書くことに応えて、前記所望のメモリ格納場所を決定するように構成されることを特徴とする請求項１４に記載の電子デバイス。
【請求項１８】
前記プロセッサは、前記データの周囲に多角形及び楕円形のうちの少なくとも一方を描画し、前記多角形及び前記楕円形のうちの少なくとも一方において前記ポインティングデバイスを使用して英数文字及びシンボルのうちの少なくとも一方を少なくとも１つ書くことに応えて、前記所望のメモリ格納場所を決定するように構成されることを特徴とする請求項１７に記載の電子デバイス。
【請求項１９】
前記プロセッサは、
筆記による入力モードの動作、及び可聴音による入力モードの動作のうちの少なくとも一方を起動し、
前記筆記による入力モードの動作、及び前記可聴音による入力モードの動作のうちの少なくとも一方における、前記筆記によるユーザ指示、及び前記可聴音によるユーザ指示のうちの少なくとも一方の受信に応えて、前記所望の格納場所を決定する
ように構成されることを特徴とする請求項１２に記載の電子デバイス。
【請求項２０】
前記プロセッサに結合されたキーパッドを更に備え、
前記プロセッサは、前記キーパッド上のボタンを押下すること、前記ディスプレイ上に表示されたアイコンを選択すること、及び前記ディスプレイ上に表示されるオンスクリーンメニューをナビゲートすること、のうちの少なくとも１つに応えて、前記筆記による入力モードの動作、及び前記可聴音による入力モードの動作のうちの少なくとも一方を起動するように構成される
ことを特徴とする請求項１９に記載の電子デバイス。
【請求項２１】
前記電子デバイスは第１の電子デバイスを含み、
第２の電子デバイス内の所望のメモリ格納場所へ前記データを転送するように構成される送受信機を更に備える
ことを特徴とする請求項１２に記載の電子デバイス。
【請求項２２】
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含み、
前記送受信機は、無線周波数接続、赤外線接続、及び有線接続のうちの少なくとも１つを介して前記データを転送するように更に構成される
ことを特徴とする請求項２１に記載の電子デバイス。
【請求項２３】
前記プロセッサは、前記筆記によるユーザ指示、及び前記可聴音によるユーザ指示のうちの少なくとも一方に応えて所望のメモリ格納場所を決定不可能である場合に、
新しいフォルダを生成するようにユーザに促し、
ユーザ応答に応えて前記新しいフォルダを生成し、
前記データを前記新しいフォルダへ転送する
ように更に構成されることを特徴とする請求項１２に記載の電子デバイス。
【請求項２４】
電子デバイス内に格納されたデータを管理するためのコンピュータプログラム製品であって、
コンピュータ読み取り可能なプログラムコードが格納された、コンピュータ読み取り可能な記録媒体を含み、当該コンピュータ読み取り可能なプログラムコードは、
筆記によるユーザ指示、及び可聴音によるユーザ指示のうちの少なくとも一方に応えて、前記電子デバイス上に表示されたデータのための所望のメモリ格納場所を決定するように構成される、コンピュータ読み取り可能なプログラムコードと、
前記所望のメモリ格納場所へ前記データを転送するように構成される、コンピュータ読み取り可能なプログラムコードと、
を含むことを特徴とするコンピュータプログラム製品。
【請求項２５】
前記電子デバイスのディスプレイ上に、英数文字及びシンボルのうちの少なくとも一方を少なくとも１つ示す、筆記によるユーザ指示と、話されたコマンドを提供する可聴音によるユーザ指示と、のうちの少なくとも一方を受信するように構成される、コンピュータ読み取り可能なプログラムコード
を更に含むことを特徴とする請求項２４に記載のコンピュータプログラム製品。
【請求項２６】
英数文字及びシンボルのうちの少なくとも一方を少なくとも１つ示す、筆記によるユーザ指示を受信するように構成される、前記コンピュータ読み取り可能なプログラムコードは、
スタイラスを使用して前記電子デバイスの前記ディスプレイ上に書くことにより示される、英数文字及びシンボルのうちの少なくとも一方を少なくとも１つ受信するように構成される、コンピュータ読み取り可能なプログラムコード
を含むことを特徴とする請求項２５に記載のコンピュータプログラム製品。
【請求項２７】
英数文字及びシンボルのうちの少なくとも一方を少なくとも１つ示す、筆記によるユーザ指示を受信するように構成される、前記コンピュータ読み取り可能なプログラムコードは、
マウス、トラックボール、及びジョイスティックのうちの少なくとも１つを使用して、前記電子デバイス上に表示されるカーソルを移動させることにより示される、英数文字及びシンボルのうちの少なくとも一方を少なくとも１つ受信するように構成される、コンピュータ読み取り可能なプログラムコード
を含むことを特徴とする請求項２５に記載のコンピュータプログラム製品。
【請求項２８】
筆記による入力モードの動作、及び可聴音による入力モードの動作のうちの少なくとも一方において、前記筆記によるユーザ指示、及び前記可聴音によるユーザ指示のうちの少なくとも一方を受信するように構成される、コンピュータ読み取り可能なプログラムコード
を更に含むことを特徴とする請求項２４に記載のコンピュータプログラム製品。
【請求項２９】
前記電子デバイス上のボタンを押下すること、前記電子デバイス上に表示されたアイコンを選択すること、及び前記電子デバイス上に表示される少なくとも１つのオンスクリーンメニューをナビゲートすること、のうちの少なくとも１つを含むユーザ入力に応えて、前記筆記による入力モードの動作、及び前記可聴音による入力モードの動作のうちの少なくとも一方を起動するように構成される、コンピュータ読み取り可能なプログラムコード
を更に含むことを特徴とする請求項２８に記載のコンピュータプログラム製品。
【請求項３０】
所望のメモリ格納場所を決定するように構成される、前記コンピュータ読み取り可能なプログラムコードは、
前記データをグルーピングし、当該グルーピングにおいて英数文字及びシンボルのうちの少なくとも一方を少なくとも１つ書く、筆記によるユーザ指示に応えて、前記データのための前記所望の格納場所を決定するように構成される、コンピュータ読み取り可能なプログラムコード
を含むことを特徴とする請求項２４に記載のコンピュータプログラム製品。
【請求項３１】
前記データをグルーピングする筆記によるユーザ指示に応えて前記データのための所望の格納場所を決定するように構成される、前記コンピュータ読み取り可能なプログラムコードは、
前記データの周囲に多角形及び楕円形のうちの少なくとも一方を描画し、前記多角形及び楕円形のうちの少なくとも一方において、英数文字及びシンボルのうちの少なくとも一方を少なくとも１つ書くことを含む、筆記によるユーザ指示に応えて、前記データのための前記所望の格納場所を決定するように構成される、コンピュータ読み取り可能なプログラムコード
を含むことを特徴とする請求項３０に記載のコンピュータプログラム製品。
【請求項３２】
前記電子デバイスは、第１の電子デバイスを含み、前記所望のメモリ格納場所へ前記データを転送するように構成される、前記コンピュータ読み取り可能なプログラムコードは、
第２の電子デバイス内の所望のメモリ格納場所へ前記データを転送するように構成される、コンピュータ読み取り可能なプログラムコード
を含むことを特徴とする請求項２４に記載のコンピュータプログラム製品。
【請求項３３】
前記データを転送するように転送される、前記コンピュータ読み取り可能なプログラムコードは、
無線周波数接続、赤外線接続、及び有線接続のうちの少なくとも１つを介して、前記第２の電子デバイスへ前記データを転送するように構成される、コンピュータ読み取り可能なプログラムコードを含み、
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含む
ことを特徴とする請求項３２に記載のコンピュータプログラム製品。
【請求項３４】
前記所望のメモリ格納場所へ前記データを転送するように構成される、前記コンピュータ読み取り可能なプログラムコードは、
前記筆記によるユーザ指示、及び前記可聴音によるユーザ指示のうちの少なくとも一方に応えて所望のメモリ格納場所を決定不可能である場合に、新しいフォルダを生成するようにユーザに促すように構成される、コンピュータ読み取り可能なプログラムコードと、
ユーザ応答に応えて前記新しいフォルダを生成するように構成される、コンピュータ読み取り可能なプログラムコードと、
前記データを前記新しいフォルダへ転送するように構成される、コンピュータ読み取り可能なプログラムコードと、
を含むことを特徴とする請求項２４に記載のコンピュータプログラム製品。
【発明の詳細な説明】
【技術分野】
【０００１】
本発明は電子デバイス及びこれを動作させる方法に関し、より詳細には、電子デバイス内のデータを管理する方法に関する。
【背景技術】
【０００２】
移動体端末などの電子デバイスは、ますます多様な通信機能、マルチメディア機能、及び／又は処理機能（通信機能、マルチメディア機能、及び処理機能のうちの少なくともいずれか）を備える。例えば、セルラ電話、携帯情報端末（ＰＤＡ）、及び／又はラップトップコンピュータなどの移動体端末は、記録装置、及び／又はデータへのアクセス機能を備えることができ、このデータは、テキスト、画像、音楽、及び／又は映像を含む多種多様なマルチメディアフォーマットのものである。
【０００３】
しかしながら、特に移動体端末においては、移動体端末が備える入力デバイスは限定的なものであるので、その中に格納されたデータを管理することが困難な場合がある。デスクトップコンピュータとは対照的に、移動体端末は通常、例えばドラッグ・アンド・ドロップ処理を使用して画面上のデータを操作するためのマウスを含まない。むしろ、移動体端末は一般的に、データ操作のために、タッチスクリーン、及び／又はキーパッドに頼っている。キーパッドは、例えば、英数文字を入力するための従来のタイピングを可能にするために、標準的なコンピュータのキーボードと同様に配列された、機械的に作動される英数字キーを含む場合がある。タッチスクリーンは、データ、仮想的なボタン、及び／又は、メニュー、チェックボックス、及びリストなどの仮想的なコマンド選択肢を表示する液晶ディスプレイ（ＬＣＤ）上に配置された、圧力に反応する透明なフィルムである場合がある。ＬＣＤ上に表示されるデータは一般的に、ハンドヘルド・スタイラスを使用してＬＣＤに圧力を印加することによって、操作される。しかしながら、どちらの場合も、画面上のデータを選択及び／又は操作することについて困難さを生じさせる場合がある。
【０００４】
例えば、セルラ電話などの多くの移動体端末は、デジタルカメラ機能を備える場合がある。しかし、デジタルカメラを使用して取り込まれた画像が移動体端末上に表示されている場合、キーパッドを使用して表示されている画像を選択及び／又は操作することは困難であろう。例えば、キーパッド上の特定のキーが特定の画像操作機能に割り当てられているかもしれないが、そのようなインタフェースはユーザにとって即座に直感できるものではなかろう。或いは、タッチスクリーン及び／又はスタイラスを使用して画像を選択することはもっと容易であるかもしれないが、それでも、画像を操作及び／又は格納することは困難であろう。例えば、タッチスクリーンのインタフェースは、画像操作のための画面上の一連のメニューをナビゲートすることを必要とする場合があるが、この一連のメニューは、表示された画像を覆い隠したり選択を無効にしてしまったりする場合がある。
【発明の開示】
【課題を解決するための手段】
【０００５】
本発明のいくつかの実施形態においては、電子デバイス内に格納されたデータを管理する方法は、筆記によるユーザ指示、及び可聴音によるユーザ指示のうちの少なくとも一方に応えて、前記電子デバイス上に表示されたデータのための所望のメモリ格納場所を決定するステップと、前記決定に応えて前記所望のメモリ格納場所へ前記データを転送するステップと、を備える。
【０００６】
本発明の他の実施形態においては、前記所望の格納場所は、前記電子デバイスのディスプレイ上に、英数文字及びシンボルのうちの少なくとも一方を少なくとも１つ示す、筆記によるユーザ指示と、話されたコマンド及びボイスコマンドのうちの少なくとも一方を提供する可聴音によるユーザ指示と、のうちの少なくとも一方の受信に応えて、決定され得る。例えば、英数文字及びシンボルのうちの少なくとも一方を少なくとも１つ示す、筆記によるユーザ指示の前記受信は、スタイラスを使用して前記電子デバイスの前記ディスプレイ上に、英数文字及びシンボルのうちの少なくとも一方を少なくとも１つ書くことを含む、筆記によるユーザ入力の受信を含み得る。或いは、英数文字及びシンボルのうちの少なくとも一方を少なくとも１つ示す、筆記によるユーザ指示の前記受信は、英数文字及びシンボルのうちの少なくとも一方を少なくとも１つを示すために、マウス、トラックボール、及びジョイスティックのうちの少なくとも１つを使用して、前記電子デバイス上に表示されるカーソルを移動させることを含む、筆記によるユーザ入力の受信を含み得る。
【０００７】
本発明の更に他の実施形態においては、前記所望のメモリ格納場所は、筆記による入力モードの動作、及び可聴音による入力モードの動作のうちの少なくとも一方における、前記筆記によるユーザ指示、及び前記可聴音によるユーザ指示のうちの少なくとも一方の受信に応えて、決定され得る。前記筆記による入力モードの動作、及び前記可聴音による入力モードの動作のうちの少なくとも一方は、前記電子デバイス上のボタンを押下すること、前記電子デバイス上に表示されたアイコンを選択すること、及び前記電子デバイス上に表示される少なくとも１つのオンスクリーンメニューをナビゲートすること、のうちの少なくとも１つを含むユーザ入力に応えて、起動され得る。前記筆記によるユーザ指示、及び前記可聴音によるユーザ指示のうちの少なくとも一方は、前記筆記による入力モードの動作、及び前記可聴音による入力モードの動作のうちの少なくとも一方の起動後、受信され得る。
【０００８】
本発明の更に他の実施形態においては、前記データのための前記所望の格納場所は、前記データをグルーピングし、当該グルーピングにおいて英数文字及びシンボルのうちの少なくとも一方を少なくとも１つ書くことを含む、筆記によるユーザ指示に応えて、決定され得る。例えば、前記データのための前記所望の格納場所は、前記データの周囲に多角形及び楕円形のうちの少なくとも一方を描画し、前記多角形及び楕円形のうちの少なくとも一方において、英数文字及びシンボルのうちの少なくとも一方を少なくとも１つ書くことを含む、筆記によるユーザ指示に応えて、決定され得る。
【０００９】
本発明の他の実施形態においては、前記電子デバイスは、第１の電子デバイスであり得る。前記所望のメモリ格納場所へ前記データを転送する前記ステップは、第２の電子デバイス内の所望のメモリ格納場所へ前記データを転送するステップを備え得る。例えば、前記データは、無線周波数接続、赤外線接続、及び有線接続のうちの少なくとも１つを介して、前記第２の電子デバイスへ転送され得る。前記第２の電子デバイスは、リムーバブルメモリカード、デスクトップパーソナルコンピュータ、及びファイル共有サーバとファイル共有ウェブサイトとのうちの少なくとも一方、のうちの少なくとも１つであり得る。
【００１０】
本発明の更に他の実施形態においては、前記所望のメモリ格納場所へ前記データを転送する前記ステップは、前記筆記によるユーザ指示、及び前記可聴音によるユーザ指示のうちの少なくとも一方に応えて所望のメモリ格納場所を決定不可能である場合に、新しいフォルダを生成するようにユーザに促すステップを含み得る。前記新しいフォルダは、前記促すステップに対するユーザ応答に応えて、生成され得る。そして、前記データは、前記新しいフォルダへ転送され得る。
【００１１】
本発明のいくつかの実施形態においては、電子デバイスが、メモリデバイスと、ディスプレイと、前記メモリデバイス及び前記ディスプレイに結合されたプロセッサと、を備える。前記プロセッサは、筆記によるユーザ指示、及び可聴音によるユーザ指示のうちの少なくとも一方に応えて、前記ディスプレイ上に表示されたデータのための、前記メモリデバイス内の所望のメモリ格納場所を決定し、前記所望のメモリ格納場所へ前記データを転送するように構成される。
【００１２】
本発明の他の実施形態においては、前記可聴音によるユーザ指示はボイスコマンドを含み得る。前記電子デバイスは、前記プロセッサに結合され、前記ボイスコマンドを受信するように動作可能なマイクロフォンを更に備え得る。
【００１３】
本発明の更に他の実施形態においては、前記筆記によるユーザ指示は、前記電子デバイスの前記ディスプレイ上に英数文字及びシンボルのうちの少なくとも一方を少なくとも１つ示すことを含み得る。前記電子デバイスは、前記ディスプレイ上に英数文字及びシンボルのうちの少なくとも一方を少なくとも１つ示すように動作可能なポインティングデバイスを更に備え得る。例えば、前記ポインティングデバイスは、前記ディスプレイと共に使用されるように構成されるスタイラスであり得る。そして、前記筆記によるユーザ指示は、前記スタイラスを使用して前記電子デバイスの前記ディスプレイ上に英数文字及びシンボルのうちの少なくとも一方を少なくとも１つ書くことを含み得る。或いは、前記ポインティングデバイスは、マウス、トラックボール、及びジョイスティックのうちの少なくとも１つであり得る。そして、前記筆記によるユーザ指示は、英数文字及びシンボルのうちの少なくとも一方を少なくとも１つ示すために、前記マウス、前記トラックボール、及び前記ジョイスティックのうちの少なくとも１つを使用して、前記ディスプレイ上に表示されたカーソルを移動させることを含み得る。
【００１４】
本発明の他の実施形態においては、前記プロセッサは、前記データをグルーピングし、当該グルーピングにおいて前記ポインティングデバイスを使用して英数文字及びシンボルのうちの少なくとも一方を少なくとも１つ書くことに応えて、前記所望のメモリ格納場所を決定するように構成され得る。例えば、前記プロセッサは、前記データの周囲に多角形及び楕円形のうちの少なくとも一方を描画し、前記多角形及び前記楕円形のうちの少なくとも一方において前記ポインティングデバイスを使用して英数文字及びシンボルのうちの少なくとも一方を少なくとも１つ書くことを含む、筆記によるユーザ指示に応えて、前記所望のメモリ格納場所を決定するように構成され得る。
【００１５】
本発明の更に他の実施形態においては、前記プロセッサは、筆記による入力モードの動作、及び可聴音による入力モードの動作のうちの少なくとも一方を起動するように構成され得る。前記所望の格納場所は、前記筆記による入力モードの動作、及び前記可聴音による入力モードの動作のうちの少なくとも一方における、前記筆記によるユーザ指示、及び前記可聴音によるユーザ指示のうちの少なくとも一方の受信に応えて、決定され得る。前記電子デバイスは、前記プロセッサに結合されたキーパッドを更に備え、前記プロセッサは、前記キーパッド上のボタンを押下すること、前記ディスプレイ上に表示されたアイコンを選択すること、及び前記ディスプレイ上に表示されるオンスクリーンメニューをナビゲートすること、のうちの少なくとも１つに応えて、前記筆記による入力モードの動作、及び前記可聴音による入力モードの動作のうちの少なくとも一方を起動するように構成され得る。
【００１６】
本発明の更に他の実施形態においては、前記電子デバイスは、第１の電子デバイスであり得る。前記電子デバイスは、第２の電子デバイス内の所望のメモリ格納場所へ前記データを転送するように構成される送受信機を更に備え得る。例えば、前記第２の電子デバイスは、リムーバブルメモリカード、デスクトップパーソナルコンピュータ、及びファイル共有サーバとファイル共有ウェブサイトとのうちの少なくとも一方、のうちの少なくとも１つであり得る。前記送受信機は、無線周波数接続、赤外線接続、及び有線接続のうちの少なくとも１つを介して前記データを転送するように更に構成され得る。
【００１７】
本発明の他の実施形態においては、前記プロセッサは、前記筆記によるユーザ指示、及び前記可聴音によるユーザ指示のうちの少なくとも一方に応えて所望のメモリ格納場所を決定不可能である場合に、新しいフォルダを生成するようにユーザに促すように更に構成され得る。前記プロセッサは、ユーザ応答に応えて前記新しいフォルダを生成し、前記データを前記新しいフォルダへ転送するように構成され得る。
【００１８】
上では主として、方法及び電子デバイスの観点で本発明を説明したが、本発明は、方法、電子デバイス、及び／又はコンピュータプログラム製品として実施可能であるということが理解できよう。
【発明を実施するための最良の形態】
【００１９】
代表的な実施形態の詳細な説明
添付の図面を参照して、本発明の特定の代表的な実施形態を説明する。しかしながら、本発明は、多くの異なる形態で実施することが可能であり、ここで説明する実施形態に限定されるものとして解釈してはならない。むしろ、これらの実施形態は、本明細書の開示を十分且つ完全にし、本発明の範囲を当業者に十分に伝達するために、提供されるものである。添付の図面で説明される特定の代表的な実施形態に関する詳細な説明において使用される用語は、本発明を限定するものとしては意図されていない。図面において、同一の番号は同一の要素を示す。
【００２０】
ここで使用されるように、単数形の"a"、"an"、及び"the"は、明示的に述べられていない限り、複数形を包含することを意図している。また、「含む(comprise)」及び／又は「含んでいる(comprising)」という用語は、本明細書において使用されている場合、言及された特徴、整数、ステップ、動作、要素、及び／又は構成要素の存在を明示するために使用されているが、１以上の他の特徴、整数、ステップ、動作、要素、構成要素、及び／又はこれらの集合の存在又は追加を排除するものではない。要素が他の要素に「接続(connect)」又は「結合(couple)」されていると述べられている場合、これは、他の要素に直接的に接続又は結合されていてもよいし、間に入る（仲介する）要素が存在していてもよい。更に、ここで使用されているように、「接続(connect)」又は「結合(couple)」という用語は、無線で接続又は結合されていることを含む場合もある。ここで使用されているように、「及び／又は(and/or)」という用語は、関連して列挙された１以上の項目に関するありとあらゆる組み合わせを含み、「／」と略される場合もある。
【００２１】
別の定義をしない限り、ここで使用される（技術用語及び科学用語を含む）すべての用語は、本発明が属する技術分野における通常の知識を有する者が普通に理解するものと同じ意味を持つ。また、一般的に使用されている辞書に定義されているような用語は、関連する技術分野の文脈における辞書の意味と矛盾しない意味を持つものとして解釈されなければならず、ここで明示的に定義されない限り、理想化された或いは過度に形式的な意味には解釈されないということが理解できよう。
【００２２】
本発明は、方法、電子デバイス、及び／又はコンピュータプログラム製品として実施可能である。従って、本発明は、ハードウェア及び／又はソフトウェア（ファームウェア、常駐ソフトウェア、マイクロコードなどを含む）において実施可能である。更に、本発明は、命令実行システムによって又はこれに関連して使用するために媒体内に収録された、コンピュータが使用可能な、或いはコンピュータが読み取り可能な、プログラムコードを持つ、コンピュータが使用可能な、或いはコンピュータが読み取り可能な、記録媒体上の、コンピュータプログラム製品の形態を取ることができる。本明細書の文脈において、コンピュータが使用可能な、或いはコンピュータが読み取り可能な、媒体は、命令実行システム、装置、又はデバイスによって、又はこれらに関連して使用するためにプログラムを保持、格納、通信、伝播、或いは伝送可能であれば、いかなる媒体であってもよい。
【００２３】
コンピュータが使用可能な、或いはコンピュータが読み取り可能な、媒体は、例えば、電子的な、磁気的な、光学的な、電磁的な、せき長い線の、又は半導体の、装置、デバイス、又は伝播媒体であってもよいが、これらに限られるわけではない。コンピュータが読み取り可能な媒体に関するより具体的な例（すべてを網羅しているわけではないリスト）は、次のものを含む。即ち、１以上のワイヤを有する電気的な接続、持ち運び可能なコンピュータ・ディスケット、ランダムアクセスメモリ（ＲＡＭ）、リードオンリーメモリ（ＲＯＭ）、消去・書き込み可能なリードオンリーメモリ（ＥＰＲＯＭ又はフラッシュメモリ）、光ファイバ、及びコンパクトディスク・リードオンリーメモリ（ＣＤ−ＲＯＭ）である。コンピュータが使用可能な、或いはコンピュータが読み取り可能な、媒体は、プログラムが印刷された、紙又は他の適切な媒体でさえあってもよい。なぜなら、プログラムは、例えば紙又は他の媒体の光学的スキャンによって電気的に取り込まれ、コンパイルされ、必要であれば、解釈(interpret)され、或いはそうでなければ適切な方法で処理され、そして、コンピュータのメモリ内に格納され得るからである。
【００２４】
ここで使用されているように、「移動体端末」という用語は、衛星方式又はセルラ方式の無線電話を含み得るものであり、マルチラインディスプレイを備えていてもよいし備えていなくてもよい。具体的には、セルラ無線電話にデータ処理機能とファクシミリ機能とデータ通信機能とを組み合わせたようなパーソナルコミュニケーションシステム（ＰＣＳ）端末や、無線電話、ページャ、インターネット／イントラネットアクセス機能、ウェブブラウザ、オーガナイザ、カレンダー、及び／又は全地球測位システム（ＧＰＳ）受信機を含み得るＰＤＡ、及び、従来のラップトップ及び／又はパームトップの受信機、或いは無線電話送受信機を含む他の装置が挙げられる。移動体端末はまた、「パーベイシブ・コンピューティング(pervasive computing)」デバイスとも呼ばれる。
【００２５】
説明を目的として、ここでは、本発明の実施形態を移動体端末の文脈で説明する。しかしながら、本発明はそのような実施形態に限定されるものではなく、移動可能であれ据え置き型であれ、データ格納機能を含むあらゆる電子デバイスとして汎用的に実施可能であるということが理解できよう。
【００２６】
本発明のいくつかの実施形態は、所望のフォルダ、及び／又は電子デバイス内の他のメモリ格納場所へ、データを移動させることは、比較的小さなディスプレイと限定的な入力デバイスしか持たない移動体端末においては特に困難なこととなり得るという認識に由来している。本発明のいくつかの実施形態によれば、移動体端末上に表示されたデータのための所望のメモリ格納場所を決定し、筆記による及び／又は可聴音による(written and/or software)ユーザ指示に応えてそのデータをその所望のメモリ格納場所へ転送させるように、移動体端末内の既存のハードウェア及び／又はソフトウェアを構成してもよい。こうして、移動体端末内のデータ管理が、容易にされ得る。
【００２７】
図１は、本発明のいくつかの実施形態に従う移動体端末を示すブロック図である。ここで図１を参照すると、典型的な移動体端末１００は、送受信機１２５、メモリ１３０、スピーカ１３５、プロセッサ１４０、及びユーザインタフェース１５５を含む。送受信機１２５は一般的に、送信回路１５０及び受信回路１４５を含み、これらは協力して、アンテナ１６５を介して基地局送受信機に対して無線周波数信号を送受信する。移動体端末と基地局送受信機との間を送信される無線周波数信号は、トラフィック信号と、他の通信相手又は宛先との通信を確立して維持するために使用される制御信号（例えば、着呼のためのページング信号／メッセージ）と、の両方を含むことができる。無線周波数信号はまた、例えばセルラデジタルパケットデータ（ＣＤＰＤ）情報などの、パケットデータ情報を含むこともできる。更に、送受信機１２５は、赤外線（ＩＲ）ポートを介して他の電子デバイスと赤外線信号を送受信するように構成された赤外線（ＩＲ）送受信機を含むことができる。メモリ１３０は、メモリのヒエラルキーを表し、揮発性メモリ、及び／又は不揮発性メモリ、例えば、リムーバブルフラッシュメモリ、磁気メモリ、及び／又は光学的に書き換え可能な不揮発性メモリなどを含むことができる。プロセッサ１４０は、送受信機１２５、メモリ１３０、スピーカ１３５、及びユーザインタフェース１５５に結合されている。プロセッサ１４０は例えば、市販の又はカスタマイズされたプロセッサであり、送受信機１２５、メモリ１３０、スピーカ１３５、及び／又はユーザインタフェース１５５の動作を調整及び管理するように構成される。
【００２８】
上述のように、移動体端末１００は更に、プロセッサ１４０に結合されたユーザインタフェース１５５を含むことができる。ユーザインタフェース１５５は、マイクロフォン１２０、（液晶ディスプレイなどの）ディスプレイ１１０、ジョイスティック１７０、キーボード／キーパッド１０５、タッチパネル式ディスプレイ１６０、ダイヤル１７５、（複数の）方向キー１８０、及び／又は（マウス、トラックボール、タッチパッドなどの）ポインティングデバイス１８５を含み得る。例えば、ポインティングデバイス１８５は、ディスプレイ１１０上の英数文字／シンボルを示す(define)ように動作可能であり、マイクロフォン１２０は、話されたコマンド及び／又はボイスコマンドを受信するように動作可能である。しかしながら、移動体端末１００が提供する機能によっては、追加の、及び／又はもっと少ない、ユーザインタフェース１５５の要素が実際には提供されてもよい。例えば、タッチパネル式ディスプレイ１６０は、ディスプレイ１１０、キーパッド１０５、及び／又はポインティングデバイス１８５を含まないＰＤＡに備えられるかもしれない。タッチパネル式ディスプレイ１６０は、複数の仮想的なコマンドボタン、及び／又は制御ボタンを表示することができる。アプリケーションプログラムがＰＤＡ上で起動及び／又は実行されると、タッチパネル式ディスプレイ１６０上に示された仮想的なボタンの適切な位置で、スタイラスをタッチパネル式ディスプレイ１６０にタッチさせることにより、コマンドボタン／制御ボタンを選択することができる。移動体端末１００の前述の構成要素は、従来の移動体端末の多くに含まれているであろうし、それらの機能は、当業者に一般的に知られている。
【００２９】
図２は、ディスプレイ２１０、メモリデバイス２３０、及びプロセッサ２４０を含むハードウェア／ソフトウェアアーキテクチャを示す図であり、これは、図１の移動体端末１００などの本発明のいくつかの実施形態に従う電子デバイスに格納されたデータを管理するために使用可能である。いくつかの実施形態においては、プロセッサ２４０、メモリ２３０、及びディスプレイ２１０はそれぞれ、図１の移動体端末１００におけるプロセッサ１４０、メモリ１３０、及びディスプレイ１１０に対応する。
【００３０】
ここで図２を参照すると、プロセッサ２４０は、アドレス／データバス２０２を介してメモリ２３０及びディスプレイ２１０と通信するように構成される。ディスプレイ２１０は、メモリ２３０に格納されたデータ２１２を表示するように構成される。データ２１２は、テキスト、画像、映像、及び／又は音楽などの多様なマルチメディアデータを、多様な形式（フォーマット）で含み得る。より具体的には、データ２１２は、テキストメッセージ、電子メール、スポーツのスコア、ホロスコープ、サウンドクリップ、心拍数、ストップウォッチの時間、及び／又は、移動体端末を使用してそこに含まれる機能に基づいて格納及び／又はアクセス可能なあらゆる他のデータを含み得る。図２に示されるように、メモリ２３０はまた、オペレーティングシステム２５２、アプリケーションプログラム２６２、及びインプット／アウトプット（Ｉ／Ｏ）デバイスドライバ２７２などのいくつかのカテゴリーのソフトウェアをかくのうするようにも構成され得る。オペレーティングシステム２５２は、システムリソースの管理及び／又は動作を制御し、プロセッサ２４０によるプログラムの実行を調整することができる。Ｉ／Ｏデバイス２７２は一般的に、アプリケーションプログラム２６２によってオペレーティングシステム２５２を介してアクセスされるソフトウェアルーチンを含み、図１のユーザインタフェース１５５に含まれるようなインプット／アウトプットデバイス、及び／又はメモリ２３０の他の構成要素と通信する。メモリ２３０は更に、複数のメモリ格納場所２３２ａから２３２ｃを含み、そこには、データ２１２及び／又は他のデータを格納することができる。
【００３１】
アプリケーションプログラム２６２は、本発明の実施形態に従う多様な特徴を実装するプログラムの実例となるものであり、好ましくは、メモリ２３０内に格納されたデータを管理する動作をサポートするアプリケーションを少なくとも１つ含む。より具体的には、アプリケーションプログラム２６２は、筆記されたもの／音声認識モジュール２２２、及びファイル／データディレクタ２４２を含み得る。プロセッサ２４０は、筆記されたもの／音声認識モジュール２２２、及びファイル／データディレクタ２４２を使用してディスプレイ２１０上に表示されたデータ２１２のための所望のメモリ格納場所を決定し、筆記による及び／又は可聴音によるユーザ指示に応えてそのデータ２１２をその所望のメモリ格納場所へ転送させるように、構成され得る。例えば、ボイスコマンドなどの可聴音によるユーザ指示は、図１のマイクロフォン１２０などの、プロセッサ２４０に結合されたマイクロフォンで受信され得る。ボイスコマンドは、データ２１２が特定のフォルダに保存されるように指示することができる。マイクロフォンを介したボイスコマンドの受信に応えて、マイクロプロセッサ２４０は、筆記されたもの／音声認識モジュール２２２を使用し、ボイスコマンドをプロセッサ２４０が解釈可能なデータに変換することができ、それによって、データ２１２のための所望の格納場所がメモリ格納場所２３２ａであると判断することができる。そして、プロセッサ２４０は、ファイル／データディレクタ２４２を使用して、判断されたメモリ格納場所２３２ａへデータ２１２を転送させることができる。
【００３２】
或いは、１以上の英数文字及び／又はシンボルを示す(define)筆記によるユーザ指示が、ディスプレイ２１０を介してプロセッサ２４０で受信されてもよい。例えば、ディスプレイ２１０は、図１のタッチパネル式ディスプレイ１６０などのタッチパネル式ディスプレイであり、英数文字／シンボルは、スタイラス、又はポインティングデバイス１８５などのディスプレイ２１０で使用されるように構成された他のポインティングデバイスを使用して、ディスプレイ２１０上に筆記され得る。筆記による英数文字／シンボルは、ディスプレイ２１０上に同時に表示され得る。いくつかの実施形態においては、筆記による英数文字／シンボルは、「グラフィティ(graffiti)」と呼ばれ得る。更なる代替例として、英数文字／シンボルは、プロセッサ２４０に結合されたマウス、トラックボール、及び／又はジョイスティックを使用してディスプレイ２１０上に表示されるカーソルを移動させることにより、示され得る。英数文字／シンボルの受信に応えて、プロセッサ２４０は、筆記されたもの／音声認識モジュール２２２を使用し、英数文字／シンボルをプロセッサ２４０が解釈可能なデータに変換することができ、それによって、データ２１２のための所望の格納場所がメモリ格納場所２３２ｂであると判断することができる。そして、プロセッサは、ファイル／データディレクタ２４２を使用して、判断されたメモリ格納場所２３２ｂへ、表示されたデータ２１２を転送させることができる。更に、多様な筆記による及び／又は可聴音によるユーザ指示を提供することができる。例えば、筆記によるユーザ指示は、例えば多角形及び／又は楕円形をデータ２１２の周囲に描くなどにより、データ２１２のグルーピングを示すこともできる。そして、ポインティングデバイスを使用してグルーピング内に英数文字／シンボルを書き、所望の格納場所を指定することができる。
【００３３】
また、プロセッサ２４０は、プロセッサ２４０に結合されたキーパッド上のボタンを押下すること、ディスプレイ２１０上のアイコンを選択すること、及び／又はディスプレイ２１０上のオンスクリーンメニューをナビゲートすることなどのユーザ入力に応えて起動される、筆記による及び／又は可聴音による入力モードの動作において、筆記による及び／又は可聴音によるユーザ指示を受信するように構成され得る。更に、図１の送受信機１２５などの送受信機は、他の電子デバイス内の所望のメモリ格納場所へデータ２１２を送信するように構成され得る。例えば、有線接続、赤外線（ＩＲ）接続、及び／又は無線周波数（ＲＦ）接続を使用して、リムーバブルメモリカード、デスクトップパーソナルコンピュータ、及び／又はファイル共有ウェブサイトに公開するためのファイル共有サーバ内の、所望の格納場所へデータが送信されてもよい。
【００３４】
図２は、内部に格納されたデータを管理するための、移動体端末及び／又は他の電子デバイスにおいて使用され得る代表的なハードウェア／ソフトウェアアーキテクチャを図示しているが、本発明はこのような構成に限定されるものではなく、ここで説明される動作を実行可能なあらゆる構成を包含するように意図されているということが理解できよう。例えば、メモリ２３０はプロセッサ２４０から分離したものとして図示されているが、メモリ２３０又はその一部は、プロセッサ２４０の一部として考えられてもよい。より一般的には、実例として特定のブロック内に特定の機能が示されているが、異なるブロックの機能、及び／又はその一部が組み合わされたり、分離されたり、取り除かれたりしてもよい。また、図２のハードウェア／ソフトウェアアーキテクチャの機能は、本発明の多用な実施形態に応じて、シングルプロセッサシステムとして実装されてもよいし、マルチプロセッサシステムとして実装されてもよい。
【００３５】
図２に関連して上で論じた、デバイス及び／又はシステムの動作を実行するためのコンピュータプログラムコードは、開発の都合に応じて、Ｊａｖａ（登録商標）、Ｃ、及び／又はＣ＋＋などの高レベルプログラミング言語で記述されてもよい。また、本発明の実施形態の動作を実行するためのコンピュータプログラムコードは、インタプリタ言語などの他のプログラミング言語で記述されてもよいが、これに限定されるものではない。性能及び／又はメモリ使用量を改善するために、いくつかのモジュール又はルーチンが、アセンブリ言語で記述されてもよいし、更にはマイクロコードで記述されてもよい。更に、ありとあらゆるプログラムモジュールの機能は、分離したハードウェアコンポーネント、１以上のエーシック（ＡＳＩＣ）、或いは、プログラムされたデジタル信号プロセッサ又はマイクロコントローラを使用して実装されてもよいということも理解できよう。
【００３６】
以下、本発明のいくつかの実施形態に従う、方法、移動体端末、電子デバイス、データ処理システム、及び／又はコンピュータプログラム製品に関する、フローチャート及び又はブロック図による図解を参照して、本発明を説明する。
【００３７】
これらのフローチャート及び／又はブロック図は更に、本発明の多様な実施形態に従う電子デバイス内に格納されたデータを管理する代表的な動作を示す。フローチャート及び／又はブロック図の図解における各ブロック、及びフローチャート及び／又はブロック図の図解における複数のブロックの組み合わせは、コンピュータプログラム命令、及び／又はハードウェア動作によって実装可能であるということが理解できよう。これらのコンピュータプログラム命令は、汎用コンピュータ、専用コンピュータ、或いは機械を生産する他のプログラム可能なデータ処理装置のプロセッサへ提供され、それによって、コンピュータ又は他のプログラム可能なデータ処理装置のプロセッサを介して実行する命令は、フローチャート及び／又はブロック図の単数又は複数のブロックによって特定される機能を実施する手段を生成する。これらのコンピュータプログラム命令はまた、コンピュータが使用可能な、或いはコンピュータが読み取り可能な、メモリに格納されて、コンピュータ又は他のプログラム可能なデータ処理装置に対し、特定の方法で機能するように指示してもよく、それによって、コンピュータが使用可能な、或いはコンピュータが読み取り可能な、メモリに格納された命令は、フローチャート及び／又はブロック図の単数又は複数のブロックによって特定される機能を実施する命令を含む製品を生み出す。
【００３８】
コンピュータプログラム命令はまた、コンピュータ又は他のプログラム可能なデータ処理装置にロードされ、コンピュータ又は他のプログラム可能なデータ処理装置上で実行される一連の動作ステップを引き起こし、コンピュータに実装されるプロセスを生み出してもよく、それによって、コンピュータ又は他のプログラム可能なデータ処理装置上で実行される命令は、フローチャート及び／又はブロック図の単数又は複数のブロックによって特定される機能を実施するステップを提供する。
【００３９】
図３Ａ及び３Ｂは、本発明のいくつかの実施形態に従う、内部に格納されたデータを管理する移動体端末の代表的な動作を示すフローチャートである。
【００４０】
ここで図３Ａを参照すると、本発明のいくつかの実施形態に従い、移動体端末などの電子デバイスに格納されたデータを管理する動作は、ブロック３２０から開始する。ここでは、筆記による及び／又は可聴音によるユーザ指示に応えて、電子デバイス上に表示されたデータのための所望のメモリ格納場所が決定される。例えば、電子デバイスのディスプレイ上で少なくとも１つの英数文字及び／又はシンボルを指定する、筆記によるユーザ指示の受信に応えて、所望の格納場所を決定することができる。或いは、話されたコマンド／ボイスコマンドを提供する可聴音によるユーザ指示の受信に応えて、所望の格納場所を決定してもよい。ブロック３３０で、電子デバイス上に表示されたデータは、その所望のメモリ格納場所へ転送される。所望のメモリ格納場所は、その電子デバイスのメモリ内のメモリ場所であってもよいし、或いは、無線周波数、赤外線、及び／又は有線の接続を介してその電子デバイスに接続された第２の電子デバイス内のメモリのメモリ場所であってもよい。例えば、第２の電子デバイスとしては、リムーバブルメモリカード、デスクトップコンピュータ、及び／又はファイル共有サーバ／ウェブサイトが挙げられる。都合のよいことに、本発明のいくつかの実施形態に従うと、電子デバイスに格納されたデータは、筆記による及び／又は可聴音によるユーザ指示に基づいて所望の格納場所へ容易に転送され得る。
【００４１】
図３Ｂを参照して、本発明のいくつかの実施形態に従う、電子デバイス内に格納されたデータを管理するための追加の動作について説明する。図３Ｂに示すように、動作はブロック３０５で開始する。ここでは、ユーザ入力に応えて、動作に関する筆記による及び／又は可聴音による入力モードが起動される。例えば、電子デバイス上のボタンを押下すること、アイコンを選択すること、及び／又は電子デバイス上に表示される少なくとも１つのオンスクリーンメニューをナビゲートすることに応えて、筆記による／可聴音による入力モードが起動され得る。ブロック３１０で、筆記による及び／又は可聴音によるユーザ指示は、筆記による及び／又は可聴音による入力モードの動作において受信される。可聴音によるユーザ指示は、話されたコマンド／ボイスコマンドであるかもしれないし、筆記によるユーザ指示は、電子デバイスのディスプレイ上で少なくとも１つの英数文字／シンボルを示すかもしれない。例えば、筆記によるユーザ指示は、スタイラスを使用してデバイスのディスプレイ上に記入することにより単数又は複数の英数文字及び／又はシンボルを指定する、筆記によるユーザ入力であるかもしれない。或いは、筆記によるユーザ指示は、マウス、トラックボール、ジョイスティック、及び／又は他の入力デバイスを使用して、電子デバイス上に表示されたカーソルを移動させることにより、単数又は複数の英数文字及び／又はシンボルを指定する、筆記によるユーザ入力でもよい。更に、筆記によるユーザ指示は、データの周囲に多角形及び／又は楕円形を描画することなどによりデータをグループ化し、所望の格納場所を指定するためにグループ内に単数又は複数の英数文字／シンボルを記入することを含んでもよい。
【００４２】
図３Ｂの参照を続けると、ブロック３２０で、電子デバイス上に表示されたデータのための所望のメモリ格納場所が決定される。所望のメモリ格納場所は、筆記による及び／又は可聴音による入力モードの動作において受信された筆記による及び／又は可聴音によるユーザ指示に応えて決定される。ところで、筆記による及び／又は可聴音による入力モードの動作状態でない場合に受信された、筆記による及び／又は可聴音による入力は、所望のメモリ格納場所を決定するためには使用されなくてよい。これにより、意図しないデータ転送を防止することができる。例えば、筆記による及び／又は可聴音による入力モードの動作状態でない時に電子デバイスの付近でユーザがうっかり話した場合、所望のメモリ格納場所は決定されないであろう。同様に、筆記による及び／又は可聴音による入力モードの動作状態でない時にディスプレイにタッチすること及び／又はポインティングデバイスを移動させることにより英数文字及び／又はシンボルをユーザがうっかり指示した(define)場合、このユーザ入力に応えてデータが転送されることはないであろう。所望のメモリ格納場所が存在し、筆記による及び／又は可聴音による入力モードの動作における筆記による及び／又は可聴音によるユーザ指示に基づいてその所望のメモリ格納場所を決定可能である場合（ブロック３２５）、ブロック３３０でデータはその所望のメモリ格納場所へ転送される。
【００４３】
しかしながら、所望のメモリ格納場所が存在せず、及び／又は筆記による及び／又は可聴音によるユーザ指示に基づいてその所望のメモリ格納場所を決定することができない場合（ブロック３２５）、ブロック３３５でユーザは新しいフォルダを生成するように促され、ユーザの応答に基づいてブロック３４０で新しいフォルダが生成される。このようにして、新しいフォルダは、所望のメモリ格納場所に対応する。ブロック３３０で、データは新しく生成されたフォルダへ転送される。
【００４４】
図３Ａ及び３Ｂのフローチャートは、本発明のいくつかの実施形態に従う、移動体電話などの電子デバイスにおけるアーキテクチャ、機能、及びハードウェア及び／又はソフトウェアの実装に関する動作を示す。この点で、各ブロックはモジュール、セグメント、或いはコードの一部を表し、特定の（単数又は複数の）論理ブロックのための１以上の実行可能な命令を含む。また、他の実装では、ブロック中に記載された単数又は複数の機能は、図３Ａ及び３Ｂに記載される順序とは異なる順序で発生してもよい。例えば、関連する機能によっては、連続して示された２つのブロックは、実際には、実質的に同時に実行されてもよいし、これらのブロックは時には反対の順序で実行されてもよい。
【００４５】
図４Ａ乃至図４Ｃは、本発明のいくつかの実施形態に従う、移動体端末中で実行されるものとしてのデータ管理に関する代表的な動作を示す。図４Ａを参照すると、デジタルカメラ機能を含む移動体端末４００は、画像４２０を取り込むために使用される。取り込まれた画像４２０は、移動体端末４００のディスプレイ４１０上に示される。ディスプレイ４１０は例えば、液晶ディスプレイ（ＬＣＤ）上に配置された、圧力に反応する透明なフィルムを含む、タッチパネル式ディスプレイであり得る。
【００４６】
図４Ｂに示すように、移動体端末４００のユーザは、ディスプレイ４１０上に１以上の英数文字及び／又はシンボルを指定する筆記によるユーザ指示４３０を提供する。より具体的には、ユーザは、ディスプレイ４１０と共に使用するように構成されたスタイラス及び／又は他のポインティングデバイスを使用して、ディスプレイ４１０上に表示される画像４２０上に「ＢＩＬＬＹ」という単語を書く。移動体端末４００内部のハードウェア及び／又はソフトウェアは、この英数文字を、移動体端末４００内のプロセッサが解釈可能なデータへ変換する。このプロセッサは、画像４２０のための所望のメモリ格納場所が、移動体端末４００のメモリ内の「Ｂｉｌｌｙ」という名前のフォルダであると判断する。
【００４７】
次いで、図４Ｃに示されるように、この決定に応えて、画像４２０が所望の格納場所（即ち、移動体端末のメモリ内の「Ｂｉｌｌｙ」という名前のフォルダ）へ転送される。画像４２０が転送されている間、ユーザ通知４４０がディスプレイ４１０上に表示される。より具体的には、「『Ｂｉｌｌｙ』フォルダに保存中．．．」という通知がディスプレイ４１０上に表示される。このようにして、データ転送が成功し、指定されたフォルダが適切に認識されたということが、ユーザに通知される。こうして、本発明のいくつかの実施形態に従い、移動体端末及び／又は他の電子デバイスに格納された画像及び／又は他のデータは、筆記による及び／又は可聴音によるユーザ指示に応えて、所望のメモリ格納場所へ容易に転送され得る。
【００４８】
図面及び明細書において、本発明の代表的な実施形態を開示してきた。しかしながら、本発明の原理から実質的に逸脱すること無く、これらの実施形態に対して多くの変形及び修正を施すことが可能である。従って、特定の用語が使用されているが、これらは一般的且つ説明的な意味でのみ使用されており、限定の目的で使用されているわけではない。本発明の範囲は、以下の請求の範囲によって規定される。
【図面の簡単な説明】
【００４９】
【図１】本発明のいくつかの実施形態に従う移動体端末を示すブロック図である。
【図２】本発明のいくつかの実施形態に従う移動体端末内に格納されたデータを管理するためのハードウェア／ソフトウェアアーキテクチャを示すブロック図である。
【図３Ａ】本発明のいくつかの実施形態に従う、内部に格納されたデータを管理するための移動体端末の代表的な動作を示すフローチャートである。
【図３Ｂ】本発明のいくつかの実施形態に従う、内部に格納されたデータを管理するための移動体端末の代表的な動作を示すフローチャートである。
【図４Ａ】本発明のいくつかの実施形態に従う、移動体端末中で実行されるものとしてのデータ管理に関する代表的な動作を示す図である。
【図４Ｂ】本発明のいくつかの実施形態に従う、移動体端末中で実行されるものとしてのデータ管理に関する代表的な動作を示す図である。
【図４Ｃ】本発明のいくつかの実施形態に従う、移動体端末中で実行されるものとしてのデータ管理に関する代表的な動作を示す図である。
【図１】
2008536237.tif 000003
【図２】
2008536237.tif 000004
【図３Ａ】
2008536237.tif 000005
【図３Ｂ】
2008536237.tif 000006
【図４Ａ】
2008536237.tif 000007
【図４Ｂ】
2008536237.tif 000008
【図４Ｃ】
2008536237.tif 000009
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
電子デバイス内に格納されたデータを管理する方法であって、
前記電子デバイスのディスプレイ上に、英数文字及びシンボルのうちの少なくとも一方を少なくとも１つ示す、筆記によるユーザ指示の受信に応えて、前記電子デバイス上に表示されたデータのための所望のメモリ格納場所を決定するステップと、
前記所望のメモリ格納場所へ前記データを転送するステップと、
を備えることを特徴とする方法。
【請求項２】
前記所望のメモリ格納場所を決定する前記ステップは、
話されたコマンドを提供する可聴音によるユーザ指示の受信に応えて、前記所望の格納場所を決定するステップ
を更に備えることを特徴とする請求項１に記載の方法。
【請求項３】
英数文字及びシンボルのうちの少なくとも一方を少なくとも１つ示す、筆記によるユーザ指示の前記受信は、
スタイラスを使用して前記電子デバイスの前記ディスプレイ上に、英数文字及びシンボルのうちの少なくとも一方を少なくとも１つ書くことを含む、筆記によるユーザ入力の受信
を含むことを特徴とする請求項１に記載の方法。
【請求項４】
英数文字及びシンボルのうちの少なくとも一方を少なくとも１つ示す、筆記によるユーザ指示の前記受信は、
英数文字及びシンボルのうちの少なくとも一方を少なくとも１つを示すために、マウス、トラックボール、及びジョイスティックのうちの少なくとも１つを使用して、前記電子デバイス上に表示されるカーソルを移動させることを含む、筆記によるユーザ入力の受信
を含むことを特徴とする請求項１に記載の方法。
【請求項５】
所望のメモリ格納場所を決定する前記ステップは、
筆記による入力モードの動作、及び可聴音による入力モードの動作のうちの少なくとも一方における、前記筆記によるユーザ指示、及び前記可聴音によるユーザ指示のうちの少なくとも一方の受信に応えて、前記所望のメモリ格納場所を決定するステップ
を備えることを特徴とする請求項２に記載の方法。
【請求項６】
筆記による入力モードの動作、及び可聴音による入力モードの動作のうちの少なくとも一方における、前記筆記によるユーザ指示、及び前記可聴音によるユーザ指示のうちの少なくとも一方の前記受信は、
前記電子デバイス上のボタンを押下すること、前記電子デバイス上に表示されたアイコンを選択すること、及び前記電子デバイス上に表示される少なくとも１つのオンスクリーンメニューをナビゲートすること、のうちの少なくとも１つを含むユーザ入力に応えて、前記筆記による入力モードの動作、及び前記可聴音による入力モードの動作のうちの少なくとも一方を起動し、
前記筆記によるユーザ指示、及び前記可聴音によるユーザ指示のうちの少なくとも一方を受信する
ことを含むことを特徴とする請求項５に記載の方法。
【請求項７】
所望のメモリ格納場所を決定する前記ステップは、
前記データをグルーピングし、当該グルーピングにおいて英数文字及びシンボルのうちの少なくとも一方を少なくとも１つ書くことを含む、筆記によるユーザ指示に応えて、前記データのための前記所望の格納場所を決定するステップ
を備えることを特徴とする請求項１に記載の方法。
【請求項８】
前記データのグルーピングに応えて前記データのための前記所望の格納場所を決定するステップは、
前記データの周囲に多角形及び楕円形のうちの少なくとも一方を描画し、前記多角形及び楕円形のうちの少なくとも一方において、英数文字及びシンボルのうちの少なくとも一方を少なくとも１つ書くことを含む、筆記によるユーザ指示に応えて、前記データのための前記所望の格納場所を決定するステップ
を備えることを特徴とする請求項７に記載の方法。
【請求項９】
前記電子デバイスは、第１の電子デバイスを含み、前記所望のメモリ格納場所へ前記データを転送する前記ステップは、
第２の電子デバイス内の所望のメモリ格納場所へ前記データを転送するステップ
を備えることを特徴とする請求項１に記載の方法。
【請求項１０】
前記データを転送する前記ステップは、
無線周波数接続、赤外線接続、及び有線接続のうちの少なくとも１つを介して、前記第２の電子デバイスへ前記データを転送するステップを備え、
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含む
ことを特徴とする請求項９に記載の方法。
【請求項１１】
前記所望のメモリ格納場所へ前記データを転送する前記ステップは、
前記筆記によるユーザ指示に応えて所望のメモリ格納場所を決定不可能である場合に、新しいフォルダを生成するようにユーザに促すステップと、
ユーザ応答に応えて前記新しいフォルダを生成するステップと、
前記データを前記新しいフォルダへ転送するステップと、
を備えることを特徴とする請求項１に記載の方法。
【請求項１２】
英数文字及びシンボルのうちの少なくとも一方を少なくとも１つ示す前記筆記によるユーザ指示は、少なくとも部分的に、前記電子デバイスの前記ディスプレイ上の前記表示されたデータにおけるものであることを特徴とする請求項１に記載の方法。
【請求項１３】
前記電子デバイスを使用して画像を取り込むステップと、
前記取り込まれた画像を前記電子デバイスの前記ディスプレイ上に表示するステップと、
を更に備え、
前記所望のメモリ格納場所を決定する前記ステップは、少なくとも部分的に前記表示された画像上に筆記されたユーザ指示に基づいて前記所望のメモリ格納場所を決定するステップを備える
ことを特徴とする請求項１２に記載の方法。
【請求項１４】
メモリデバイスと、
ディスプレイと、
前記メモリデバイス及び前記ディスプレイに結合されたプロセッサと、
を備え、
前記プロセッサは、前記電子デバイスのディスプレイ上に、英数文字及びシンボルのうちの少なくとも一方を少なくとも１つ示す、筆記によるユーザ指示に応えて、
前記ディスプレイ上に表示されたデータのための、前記メモリデバイス内の所望のメモリ格納場所を決定し、
前記所望のメモリ格納場所へ前記データを転送する
ように構成される
ことを特徴とする電子デバイス。
【請求項１５】
前記プロセッサは、ボイスコマンドを提供する可聴音によるユーザ指示に応えて所望のメモリ格納場所を決定するように更に構成され、
前記プロセッサに結合され、前記ボイスコマンドを受信するように動作可能なマイクロフォンを更に備える
ことを特徴とする請求項１４に記載の電子デバイス。
【請求項１６】
前記ディスプレイ上に英数文字及びシンボルのうちの少なくとも一方を少なくとも１つ示すように動作可能なポインティングデバイスを更に備える
ことを特徴とする請求項１４に記載の電子デバイス。
【請求項１７】
前記ポインティングデバイスは、前記ディスプレイと共に使用されるように構成されるスタイラスを含み、
前記筆記によるユーザ指示は、前記スタイラスを使用して前記電子デバイスの前記ディスプレイ上に英数文字及びシンボルのうちの少なくとも一方を少なくとも１つ書くことを含む
ことを特徴とする請求項１６に記載の電子デバイス。
【請求項１８】
前記ポインティングデバイスは、マウス、トラックボール、及びジョイスティックのうちの少なくとも１つを含み、
前記筆記によるユーザ指示は、英数文字及びシンボルのうちの少なくとも一方を少なくとも１つ示すために、前記マウス、前記トラックボール、及び前記ジョイスティックのうちの少なくとも１つを使用して、前記ディスプレイ上に表示されたカーソルを移動させることを含む
ことを特徴とする請求項１６に記載の電子デバイス。
【請求項１９】
前記プロセッサは、前記データをグルーピングし、当該グルーピングにおいて前記ポインティングデバイスを使用して英数文字及びシンボルのうちの少なくとも一方を少なくとも１つ書くことに応えて、前記所望のメモリ格納場所を決定するように構成されることを特徴とする請求項１６に記載の電子デバイス。
【請求項２０】
前記プロセッサは、前記データの周囲に多角形及び楕円形のうちの少なくとも一方を描画し、前記多角形及び前記楕円形のうちの少なくとも一方において前記ポインティングデバイスを使用して英数文字及びシンボルのうちの少なくとも一方を少なくとも１つ書くことに応えて、前記所望のメモリ格納場所を決定するように構成されることを特徴とする請求項１９に記載の電子デバイス。
【請求項２１】
前記プロセッサは、
筆記による入力モードの動作、及び可聴音による入力モードの動作のうちの少なくとも一方を起動し、
前記筆記による入力モードの動作、及び前記可聴音による入力モードの動作のうちの少なくとも一方における、前記筆記によるユーザ指示、及び前記可聴音によるユーザ指示のうちの少なくとも一方の受信に応えて、前記所望の格納場所を決定する
ように構成されることを特徴とする請求項１５に記載の電子デバイス。
【請求項２２】
前記プロセッサに結合されたキーパッドを更に備え、
前記プロセッサは、前記キーパッド上のボタンを押下すること、前記ディスプレイ上に表示されたアイコンを選択すること、及び前記ディスプレイ上に表示されるオンスクリーンメニューをナビゲートすること、のうちの少なくとも１つに応えて、前記筆記による入力モードの動作、及び前記可聴音による入力モードの動作のうちの少なくとも一方を起動するように構成される
ことを特徴とする請求項２１に記載の電子デバイス。
【請求項２３】
前記電子デバイスは第１の電子デバイスを含み、
第２の電子デバイス内の所望のメモリ格納場所へ前記データを転送するように構成される送受信機を更に備える
ことを特徴とする請求項１４に記載の電子デバイス。
【請求項２４】
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含み、
前記送受信機は、無線周波数接続、赤外線接続、及び有線接続のうちの少なくとも１つを介して前記データを転送するように更に構成される
ことを特徴とする請求項２３に記載の電子デバイス。
【請求項２５】
前記電子プロセッサは、前記筆記によるユーザ指示、及び前記可聴音によるユーザ指示のうちの少なくとも一方に応えて所望のメモリ格納場所を決定不可能である場合に、
新しいフォルダを生成するようにユーザに促し、
ユーザ応答に応えて前記新しいフォルダを生成し、
前記データを前記新しいフォルダへ転送する
ように更に構成されることを特徴とする請求項１４に記載の電子デバイス。
【請求項２６】
英数文字及びシンボルのうちの少なくとも一方を少なくとも１つ示す前記筆記によるユーザ指示は、少なくとも部分的に、前記電子デバイスの前記ディスプレイ上の前記表示されたデータにおけるものであることを特徴とする請求項１４に記載の電子デバイス。
【請求項２７】
画像を取り込むように構成される画像取り込みデバイスを更に備え、
前記ディスプレイは前記取り込まれた画像を表示するように構成され、
前記プロセッサは、少なくとも部分的に前記表示された画像上に筆記されたユーザ指示に基づいて前記所望のメモリ格納場所を決定するように構成される
ことを特徴とする請求項１４に記載の電子デバイス。
【請求項２８】
電子デバイス内に格納されたデータを管理するためのコンピュータプログラム製品であって、
コンピュータ読み取り可能なプログラムコードが格納された、コンピュータ読み取り可能な記録媒体を含み、当該コンピュータ読み取り可能なプログラムコードは、
前記電子デバイスのディスプレイ上に、英数文字及びシンボルのうちの少なくとも一方を少なくとも１つ示す、筆記によるユーザ指示の受信に応えて、前記電子デバイス上に表示されたデータのための所望のメモリ格納場所を決定するように構成される、コンピュータ読み取り可能なプログラムコードと、
前記所望のメモリ格納場所へ前記データを転送するように構成される、コンピュータ読み取り可能なプログラムコードと、
を含むことを特徴とするコンピュータプログラム製品。
【請求項２９】
話されたコマンドを提供する可聴音によるユーザ指示の受信に応えて、前記所望のメモリ格納場所を決定するように構成される、コンピュータ読み取り可能なプログラムコード
を更に含むことを特徴とする請求項２８に記載のコンピュータプログラム製品。
【請求項３０】
英数文字及びシンボルのうちの少なくとも一方を少なくとも１つ示す、筆記によるユーザ指示を受信するように構成される、前記コンピュータ読み取り可能なプログラムコードは、
スタイラスを使用して前記電子デバイスの前記ディスプレイ上に書くことにより示される、英数文字及びシンボルのうちの少なくとも一方を少なくとも１つ受信するように構成される、コンピュータ読み取り可能なプログラムコード
を含むことを特徴とする請求項２８に記載のコンピュータプログラム製品。
【請求項３１】
英数文字及びシンボルのうちの少なくとも一方を少なくとも１つ示す、筆記によるユーザ指示を受信するように構成される、前記コンピュータ読み取り可能なプログラムコードは、
マウス、トラックボール、及びジョイスティックのうちの少なくとも１つを使用して、前記電子デバイス上に表示されるカーソルを移動させることにより示される、英数文字及びシンボルのうちの少なくとも一方を少なくとも１つ受信するように構成される、コンピュータ読み取り可能なプログラムコード
を含むことを特徴とする請求項２８に記載のコンピュータプログラム製品。
【請求項３２】
筆記による入力モードの動作、及び可聴音による入力モードの動作のうちの少なくとも一方において、前記筆記によるユーザ指示、及び前記可聴音によるユーザ指示のうちの少なくとも一方を受信するように構成される、コンピュータ読み取り可能なプログラムコード
を更に含むことを特徴とする請求項２８に記載のコンピュータプログラム製品。
【請求項３３】
前記電子デバイス上のボタンを押下すること、前記電子デバイス上に表示されたアイコンを選択すること、及び前記電子デバイス上に表示される少なくとも１つのオンスクリーンメニューをナビゲートすること、のうちの少なくとも１つを含むユーザ入力に応えて、前記筆記による入力モードの動作、及び前記可聴音による入力モードの動作のうちの少なくとも一方を起動するように構成される、コンピュータ読み取り可能なプログラムコード
を更に含むことを特徴とする請求項３２に記載のコンピュータプログラム製品。
【請求項３４】
所望のメモリ格納場所を決定するように構成される、前記コンピュータ読み取り可能なプログラムコードは、
前記データをグルーピングし、当該グルーピングにおいて英数文字及びシンボルのうちの少なくとも一方を少なくとも１つ書く、筆記によるユーザ指示に応えて、前記データのための前記所望の格納場所を決定するように構成される、コンピュータ読み取り可能なプログラムコード
を含むことを特徴とする請求項２８に記載のコンピュータプログラム製品。
【請求項３５】
前記データをグルーピングする筆記によるユーザ指示に応えて前記データのための所望の格納場所を決定するように構成される、前記コンピュータ読み取り可能なプログラムコードは、
前記データの周囲に多角形及び楕円形のうちの少なくとも一方を描画し、前記多角形及び楕円形のうちの少なくとも一方において、英数文字及びシンボルのうちの少なくとも一方を少なくとも１つ書くことを含む、筆記によるユーザ指示に応えて、前記データのための前記所望の格納場所を決定するように構成される、コンピュータ読み取り可能なプログラムコード
を含むことを特徴とする請求項３４に記載のコンピュータプログラム製品。
【請求項３６】
前記電子デバイスは、第１の電子デバイスを含み、前記所望のメモリ格納場所へ前記データを転送するように構成される、前記コンピュータ読み取り可能なプログラムコードは、
第２の電子デバイス内の所望のメモリ格納場所へ前記データを転送するように構成される、コンピュータ読み取り可能なプログラムコード
を含むことを特徴とする請求項２８に記載のコンピュータプログラム製品。
【請求項３７】
前記データを転送するように転送される、前記コンピュータ読み取り可能なプログラムコードは、
無線周波数接続、赤外線接続、及び有線接続のうちの少なくとも１つを介して、前記第２の電子デバイスへ前記データを転送するように構成される、コンピュータ読み取り可能なプログラムコードを含み、
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含む
ことを特徴とする請求項３６に記載のコンピュータプログラム製品。
【請求項３８】
前記所望のメモリ格納場所へ前記データを転送するように構成される、前記コンピュータ読み取り可能なプログラムコードは、
前記筆記によるユーザ指示、及び前記可聴音によるユーザ指示のうちの少なくとも一方に応えて所望のメモリ格納場所を決定不可能である場合に、新しいフォルダを生成するようにユーザに促すように構成される、コンピュータ読み取り可能なプログラムコードと、
ユーザ応答に応えて前記新しいフォルダを生成するように構成される、コンピュータ読み取り可能なプログラムコードと、
前記データを前記新しいフォルダへ転送するように構成される、コンピュータ読み取り可能なプログラムコードと、
を含むことを特徴とする請求項２８に記載のコンピュータプログラム製品。
【請求項３９】
所望のメモリ格納場所を決定するように構成される、前記コンピュータ読み取り可能なプログラムコードは、
少なくとも部分的に、前記電子デバイスの前記ディスプレイ上の前記表示されたデータにおけるものである、英数文字及びシンボルのうちの少なくとも一方を少なくとも１つ示す前記筆記によるユーザ指示に応えて、前記表示されたデータのための前記所望の格納場所を決定するように構成される、コンピュータ読み取り可能なプログラムコード
を含むことを特徴とする請求項２８に記載のコンピュータプログラム製品。
【請求項４０】
画像を取り込むように構成される、コンピュータ読み取り可能なプログラムコードと、
前記取り込まれた画像を前記電子デバイスの前記ディスプレイ上に表示するように構成される、コンピュータ読み取り可能なプログラムコードと、
を更に含み、
所望のメモリ格納場所を決定するように構成される、前記コンピュータ読み取り可能なプログラムコードは、少なくとも部分的に前記表示された画像上に書かれたユーザ指示に基づいて前記所望のメモリ格納場所を決定するように構成される、コンピュータ読み取り可能なプログラムコードを含む
ことを特徴とする請求項３９に記載のコンピュータプログラム製品。
【国際調査報告】
2008536237.tif 000010
2008536237.tif 000011
2008536237.tif 000012
2008536237.tif 000013
2008536237.tif 000014